(57)【要約】【課題】２次電池の充電開始時における保護機能を、新たに温度センサを追加することなく実現できる構成簡単にして安価な電子機器を得ることを目的とする。【解決手段】２次電池を内蔵する第１の機器と、該第１の機器を接続し、副次的に上記第１の機器に内蔵された２次電池を充電する機能を有する第２の機器を有し、上記第２の機器に設けられた既存の温度センサまたは第３の機器に設けられた温度センサから得られた温度データを用い、上記２次電池の不充電または充電を指示するものである。【選択図】図１
2007143228.tif 000002
【特許請求の範囲】
【請求項１】
２次電池を内蔵する第１の機器と、該第１の機器を接続し、副次的に上記２次電池を充電する機能を有する第２の機器と、該第２の機器に接続され、周囲温度を検出する温度センサを内蔵する第３の機器とを有し、上記第２の機器は、上記２次電池の充電を規制する設定温度を記憶するメモリと、上記温度センサから得られた温度データと上記設定温度とを比較し、上記得られた温度データが上記設定温度以上の場合は上記２次電池の不充電を指示し、設定温度以下の場合上記２次電池の充電を指示する制御部と、上記制御部からの指示信号を受けて充電を制御する充電回路制御部とを備えた電子機器。
【請求項２】
２次電池を内蔵する第１の機器と、該第１の機器を接続し、副次的に上記２次電池を充電する機能を有する第２の機器とを有し、上記第２の機器は、上記２次電池の充電を規制する設定温度を記憶するメモリと、周囲温度を検出する温度センサと、上記温度センサから得られた温度データと上記設定温度とを比較し、上記得られた温度データが上記設定温度以上の場合は上記２次電池の不充電を指示し、設定温度以下の場合上記２次電池の充電を指示する制御部と、上記制御部からの指示信号を受けて充電を制御する充電回路制御部とを備えた電子機器。
【請求項３】
第２の機器は、ユーザーに制御部による２次電池の充電状態を出力する出力手段を備えたことを特徴とする請求項１または請求項２記載の電子機器。
【発明の詳細な説明】
【技術分野】
【０００１】
この発明は、２次電池を内蔵する機器に関連して充電開始時の保護機能が付加された電子機器に関するものである。
【背景技術】
【０００２】
一般に、或る機器と他の機器を接続して使用する場合、データの通信を行うことが主な目的であり、長時間の使用の為に或る機器が電源を供給することにより、他の機器の２次電池が充電されている。その際の、充電は、副次的作用であることと、他の機器に保護機能が付加されていることから、従来、或る機器には保護機能が付加されていない。また、他の機器に付加されている保護機能は回路の異常時に働くもので電源を遮断するものが多く、保護機能自体も物によって差がある（例えば、特許文献１および２参照）。
【０００３】
【特許文献１】特開平１１−２８９６５６号公報
【特許文献２】特開２００３−１７３８２５号公報
【発明の開示】
【発明が解決しようとする課題】
【０００４】
しかしながら、上記両公報の場合には、いずれも、充電機能を持つ或る機器側に充電保護機能を付加する必要があり、この結果、構成が複雑で、コスト的にも高価になる等の問題点があった。
【０００５】
この発明は、上記のような課題を解決するためになされたもので、２次電池を内蔵する第１の機器を副次的に充電する機能を有する第２の機器に接続し充電する際に充電開始時の保護機能を、第３の機器に内蔵されている温度センサまたは第２の機器の既存の温度センサから室内の温度データを得ることにより、第２の機器に新たに温度センサを追加すること無く付加することができる構成簡単にして安価な電子機器を得ることを目的とする。
【課題を解決するための手段】
【０００６】
この発明に係る電子機器は、２次電池を内蔵する第１の機器と、該第１の機器を接続し、副次的に上記２次電池を充電する機能を有する第２の機器と、該第２の機器に接続され、周囲温度を検出する温度センサを内蔵する第３の機器とを有し、上記第２の機器は、上記２次電池の充電を規制する設定温度を記憶するメモリと、上記温度センサから得られた温度データと上記設定温度とを比較し、上記得られた温度データが上記設定温度以上の場合は上記２次電池の不充電を指示し、設定温度以下の場合上記２次電池の充電を指示する制御部と、上記制御部からの指示信号を受けて充電を制御する充電回路制御部とを備えたものである。
【０００７】
この発明に係る電子機器は、２次電池を内蔵する第１の機器と、該第１の機器を接続し、副次的に上記２次電池を充電する機能を有する第２の機器とを有し、上記第２の機器は、上記２次電池の充電を規制する設定温度を記憶するメモリと、周囲温度を検出する温度センサと、上記温度センサから得られた温度データと上記設定温度とを比較し、上記得られた温度データが上記設定温度以上の場合は上記２次電池の不充電を指示し、設定温度以下の場合上記２次電池の充電を指示する制御部と、上記制御部からの指示信号を受けて充電を制御する充電回路制御部とを備えたものである。
【発明の効果】
【０００８】
この発明は、２次電池を内蔵する第１の機器に接続し副次的に該２次電池を充電する機能を有する第２の機器に既存の温度センサから周囲の温度データを得ることで、温度センサを新たに追加すること無く、２次電池の充電開始時における保護機能を得ることができ、構成簡単にして低廉化が図れるという効果がある。
【発明を実施するための最良の形態】
【０００９】
以下、この発明の実施の一形態を、図１〜図７を参照して説明する。
実施の形態１．
図１および図２は、この発明の実施の形態１による電子機器を示す構成図であって、図１はその概略構成図、図２はその具体的な回路構成図である。
図１において、ユーザーＩＦ１０ａを有する第２の機器としての機器１０に２次電池１１ａ内蔵の第１の機器としての機器１１が接続され、機器１１の２次電池１１ａの充電を開始する際に、機器１２に内蔵されている温度センサ１２ａから室内の温度データを得て機器１１の２次電池の保護を行う。
【００１０】
２次電池の使用温度範囲は、大体０〜３５℃程度であり、使用温度範囲より低温の場合は一時的な充電能力の低下しか起こらないが、使用温度範囲より高温である場合は恒久的に充電能力が低下し、６０℃程度の高温になった場合には爆発、発火、発煙等のおそれがある。この為高温時の保護機能充実させる必要がある。
【００１１】
図２は、本実施の形態の具体的な回路構成の一例を示しており、図２において、機器１０に接続コネクタ２３，２５を介しそれぞれ２次電池を内蔵している機器１１、温度センサ１２ａを搭載している機器１２が接続される。機器１０は、制御部２０と、この制御部２０の出力側に接続された充電回路制御部２１と、この充電回路制御部２１の出力側に接続された充電回路２２、この充電回路２２の出力側に接続されると共に機器１１が相互接続され、また、制御部２０の出力側に接続されて接続信号を供給する接続コネクタ２３と、この接続コネクタ２３に接続されると共に制御部２０の出力側に接続されて、２次電池の充電状態を出力する警告、注意出力信号が供給される（図１のユーザーＩＦ１０ａに対応の）出力手段２４と、この出力手段２４に接続されると共に機器１２が相互接続され、また、制御部２０と相互接続されて温度データやデータの要求のやり取りを行う接続コネクタ２５と、充電回路２２に接続された電源回路２６と、外部からの電源ＯＮ／ＯＦＦに応じて制御部２０への電源ＯＮ信号を検知する電源検知回路２７とを備える。
【００１２】
また、制御部２０は、ＣＰＵ３０と、このＣＰＵ３０と相互接続され、設定温度や状態データ等を記憶したメモリ３１と、ＣＰＵ３０と相互接続され、設定時間１をカウントするカウンタ３２と、ＣＰＵ３０と相互接続され、設定時間２をカウントするカウンタ３３と、入力側がＣＰＵ３０と相互接続され、出力側が上述の充電回路制御部２１、接続コネクタ２３、出力手段２４、接続コネクタ２５および電源検知回路２７に接続された入出力ポート３４とを備える。
【００１３】
なお、メモリ３１内に書き込まれるシステムのパラメータは、設定温度１：爆発等の起こる可能性のある温度、設定温度２：充電能力が低下する温度、設定時間１：温度センサ確認動作を行なう間隔の時間、設定時間２：機器１１が接続状態で放置されていた時間が、機器１１の温度が室温に影響を受ける程度の時間であったかの判定値、状態データ：設定時間の経過、未経過の判定データ、温度データ：入手温度データ及び一つ前の温度データである。
【００１４】
次に、動作について説明する。
機器１０の電源がオンされると、電源検知回路２７から電源オン信号が制御部２０に送られる。制御部２０では、接続コネクタ２３を介して機器１１の接続信号を確認し、機器１２に接続コネクタ２５を介して温度データを要求し、温度データを得る。機器１２の温度センサ１２ａから得た温度データは、ＣＰＵ３０にてメモリ３１に書き込まれている、設定温度１，設定温度２と比較し、設定温度１以上である場合には充電回路制御部２１に信号を送らず充電回路２２をＯＦＦのままにし機器１１の充電を行わないようにし、出力手段２４によりユーザーに機器１１の状態に関する警告、つまり高価で不充電であることを出力する。
一方、設定温度１以下設定温度２以上である場合は、充電回路制御部２１に信号を出し、充電回路２２をＯＮさせて機器１１の充電を開始し、出力手段２４によりユーザーに使用温度範囲外であることを出力する。
【００１５】
実施の形態２．
図３および図４は、この発明の実施の形態２による電子機器を示す構成図であって、図３はその概略構成図、図４はその具体的な回路構成図である。なお、図３および図４において、図１および図２と対応する部分には同一符号を付し、その詳細説明を省略する。
本実施の形態では、ユーザーＩＦ１０ａを有する第２の機器としての機器１０Ａに２次電池１１ａ内蔵の機器１１が接続され、機器１１の２次電池１１ａの充電を開始する際に、機器１０Ａ内部の既存の温度センサ２８から室内の温度データを得て機器１１の２次電池１１ａの保護を行う。その他の構成に付いては、図１および図２の場合と同様である。
【００１６】
次に、動作について、説明する。
機器１０Ａの電源がオンされると電源検知回路２７から電源オン信号が制御部２０に送られる。制御部２０では、接続コネクタ２３を介して機器１１の接続信号を確認し、温度センサ２８に温度データを要求し、温度データを得る。温度センサ２８から得た温度データは、ＣＰＵ３０にてメモリ３１に書き込まれている、設定温度１，設定温度２と比較し、設定温度１以上である場合には充電回路制御部２１に信号を送らず充電回路２２をＯＦＦのままにし機器１１の充電を行わないようにし、出力手段２４によりユーザーに機器１１の状態に関する警告、つまり高価で不充電であることを出力する。
一方、設定温度１以下設定温度２以上である場合は、充電回路制御部２１に信号を出し、充電回路２２をＯＮさせて機器１１の充電を開始し、出力手段２４によりユーザーに使用温度範囲外であることを出力する。
【００１７】
次に、上記実施の形態１および２における電源ＯＮ後の動作を、図５のフローチャートを参照して説明する。
先ず、ＣＰＵ３０は、入出力ポート３４を介し、電源検知回路２７からの電源ＯＮ信号受信後、接続コネクタ２３を介して機器１１から接続信号を受信することで機器１１の接続の確認を行い（ステップＳＴ１）、次にメモリ３１より状態データを読み込み（ステップＳＴ２）、機器１１が接続されたままだったかどうかを判別し（ステップＳＴ３）、機器１１が接続されたままでなければ、つまり、状態データが設定時間未経過状態であれば充電回路制御部２１に制御信号を出し（ステップＳＴ１０）、充電回路２２の充電を電源回路２６により開始し、機器１１が接続されたままであれば、つまり、設定時間経過状態であれば機器１２内蔵の温度センサ１２ａか温度センサ２８より温度データを得て（ステップＳＴ４）メモリ３１内の設定温度１と比較して設定温度１以上か否かを判別し（ステップＳＴ５）、設定温度１以上であれば出力手段２４より警告出力信号を出し（ステップＳＴ６）、温度センサが常時室温を監視するものであれば設定温度１以下に下がるまで待機し、他のものの温度上昇を監視するものであれば設定された一定時間待機し（ステップＳＴ７）、待機が終了後充電回路制御部２１に制御信号を出し（ステップＳＴ１０）、充電回路２２の充電を電源回路２６により開始する。
【００１８】
また、ステップＳＴ５において、機器１２内蔵の温度センサ１２ａか温度センサ２８より得た温度データが設定温度１より低い場合は設定温度２と比較して設定温度２以上か否かを判別し（ステップＳＴ８）、設定温度２以上でなければ、つまり、低ければ充電回路制御部２１に制御信号を出し（ステップＳＴ１０）、充電回路２２の充電を電源回路２６により開始し、設定温度２以上であれば、つまり、高ければ出力手段２４へ注意出力信号を出し（ステップＳＴ９）、充電回路制御部２１に制御信号を出し（ステップＳＴ１０）、充電回路２２の充電を電源回路２６により開始する。
【００１９】
次に、温度センサが他のものの温度上昇を監視する為のものを利用している場合での電源ＯＦＦ後の温度センサの確認動作電源ＯＮ後の動作を、図６のフローチャートを参照して説明する。
電源ＯＦＦ後、機器１１の接続を確認し（ステップＳＴ２１）、機器１２内蔵の温度センサ１２ａか温度センサ２８より温度データを得て（ステップＳＴ２２）設定温度２と比較し（ステップＳＴ２３）、高ければ温度データをメモリ３１に書き込み（ステップＳＴ２４）、ＣＰＵ３０をスリープモードにする（ステップＳＴ２５）。
【００２０】
タイマカウンタ３２で設定時間１をカウントし（ステップＳＴ２６）、カウントアップしたらＣＰＵ３０のスリープモードを解除し（ステップＳＴ２７）、機器１２の温度センサ１２ａか温度センサ２８より温度データを得て（ステップＳＴ２８）、メモリ３１から状態データを読み込み（ステップＳＴ２９）、状態データの温度データと比較し（ステップＳＴ３０）、高いか等しければ温度センサからの入手温度データが室温と同等になっていると判定し（ステップＳＴ３１）、状態データとしてメモリ３１に書き込み（ステップＳＴ３２）、ＣＰＵ３０をスリープモードにする（ステップＳＴ３３）。
また、ステップＳＴ２３において、設定温度２より低かった場合も入手温度データが室温と同等であると判定される。ステップＳＴ３０にて状態データの温度データより低かった場合は、ステップＳＴ２３に戻り入手温度データが室温と同等であると判定されるまでループする。
【００２１】
ステップＳＴ３１の判定の理由として、温度センサが他のものの温度上昇を監視する為のものであることから、温度センサのデータが電源ＯＦＦ後に上がる場合には、機器が停止していることから室温の上昇によるものと判断できる為、入手温度データは室温と等しいと判定できる。温度データが下がる場合には機器の温度の低下か、室温の低下かが判断できないが、設定温度２以下であれば機器１１に影響を与えることが無い為に問題無しとして疑似的に室温と等しいと判定する。
入手温度データと室温が等しいと判定される前に電源がＯＮされた場合には、一定時間待機後充電を開始するなどの処理を行うが、機器１０（または１０Ａ）の設計者が機器に合わせて処理を決定する必要がある。
【００２２】
次に、温度センサが常時室温を監視するものである場合は、図７にある機器１１の接続状態の確認のみを行う。
電源ＯＦＦ後、タイマカウンタ３３をリセットし（ステップＳＴ４１）、機器１１の接続を確認し（ステップＳＴ４２）、接続がある場合は時間のタイマカウンタ３３にてカウントを開始し（ステップＳＴ４３）、ＣＰＵ３０をスリープモードにする（ステップＳＴ４４）。この状態で、電源がＯＮされると設定時間未経過として判断される。
【００２３】
ステップＳＴ４４の状態から機器１１の接続が解除されずに（ステップＳＴ４５）、時間のカウントが設定時間２を越えた時は（ステップＳＴ４６）、ＣＰＵ３０のスリープモードを解除し（ステップＳＴ４７）、タイマカウンタ３３を停止し（ステップＳＴ４８）、設定時間経過として状態データをメモリ３１に書き込み（ステップＳＴ４９）、再びＣＰＵ３０をスリープモードにする（ステップＳＴ５０）。
【００２４】
ステップＳＴ４３の状態から時間のカウントが設定時間２を越える前に接続が解除された場合（ステップＳＴ５１）、ＣＰＵ３０のスリープモードを解除（ステップＳＴ５２）、タイマカウンタ３３をリセットし（ステップＳＴ５３）、設定時間未経過として状態データをメモリ３１に書き込み（ステップＳＴ５４）、ＣＰＵ３０をスリープモードにする（ステップＳＴ５５）。
【００２５】
ステップＳＴ４２において、機器１１の接続がなかった場合は、設定時間未経過として状態データをメモリ３１に書き込み（ステップＳＴ５６）、ＣＰＵ３０をスリープモードにする（ステップＳＴ５７）。その後、電源ＯＦＦの状態のまま機器１１が接続された場合（ステップＳＴ５８）、ＣＰＵ３０のスリープモードを解除し（ステップＳＴ５９）、ステップＳＴ４３以下の動作に移行する。
【００２６】
ステップＳＴ５０の状態で接続が解除された時（ステップＳＴ５１）は、ステップＳＴ５１以下の動作に移行し、ステップＳＴ５５の状態で機器１１が接続された時（ステップＳＴ５８）は、ステップＳＴ５８以下の動作に移行する。
【００２７】
このように本実施の形態１および２によれば、２次電池を内蔵する機器１１を副次的に充電する機能を有する機器１０に接続し充電する際に充電開始時の保護機能を、機器１２に内蔵されている温度センサ１２ａまたは機器１０Ａの既存の温度センサ１０ｂから室内の温度データを得ることにより、温度センサを新たに追加すること無く簡便に充電開始時の保護機能を得ることが出来る。
【図面の簡単な説明】
【００２８】
【図１】この発明の実施の形態１による電子機器を示す概略構成図である。
【図２】この発明の実施の形態１による電子機器を示す回路構成図である。
【図３】この発明の実施の形態２による電子機器を示す概略構成図である。
【図４】この発明の実施の形態２による電子機器を示す回路構成図である。
【図５】この発明の実施の形態１および２による電子機器の動作を説明するためのフローチャートである。
【図６】この発明の実施の形態１および２による電子機器の動作を説明するためのフローチャートである。
【図７】この発明の実施の形態１および２による電子機器の動作を説明するためのフローチャートである。
【符号の説明】
【００２９】
１０，１１，１２  機器、２０  制御部、２１  充電回路制御部、２２  充電回路、２３，２５  接続コネクタ、２４  出力手段、２６  電源回路、２７  電源検知回路、２８  温度センサ、３０  ＣＰＵ、３１  メモリ、３２，３３  タイマカウンタ、３４  入出力ポート。
【図１】
2007143228.tif 000003
【図２】
2007143228.tif 000004
【図３】
2007143228.tif 000005
【図４】
2007143228.tif 000006
【図５】
2007143228.tif 000007
【図６】
2007143228.tif 000008
【図７】
2007143228.tif 000009